(57)【要約】【課題】配管亀裂および配管接続手段の脱落等異常が生じたときに、水または熱水の滴下を停止することができるサウナ装置を提供することを目的とする。【解決手段】空気を加熱加湿する加熱加湿手段８とサウナ対象室１内の空気を排出する換気手段１０と加熱加湿手段８と換気手段１０を制御する制御手段９を備え、加熱加湿手段８はサウナ対象室１の空気を循環する循環送風手段１２を介し空気を加熱する加熱手段１３を通過後、空気を加湿する第１の加湿手段１４を経てサウナ対象室１に吹きだす構成であって、第１の加湿手段１４は給水口１５より給水配管を介し水または温水を噴射するノズル２１を有し、給水配管からの水または温水の漏水を検知する漏水検知手段１７を備えたことを特徴とするサウナ装置。【選択図】図３
2010051512.tif 000002
【特許請求の範囲】
【請求項１】
空気を加熱加湿する加熱加湿手段とサウナ対象室内の空気を排出する換気手段と前記加熱加湿手段と前記換気手段を制御する制御手段を備え、前記加熱加湿手段は前記サウナ対象室の空気を循環する循環送風手段を介し空気を加熱する加熱手段を通過後、空気を加湿する加湿手段を経てサウナ対象室に吹きだす構成であって、前記加湿手段は給水口より給水配管を介し水または温水を噴射するノズルを有し、前記給水配管からの水または温水の漏水を検知する漏水検知手段を備えたことを特徴とするサウナ装置。
【請求項２】
給水口近傍に給水開閉弁を備え、漏水検知手段で検知する値が急激に変化した時に給水開閉弁を閉にすることを特徴とした請求項１記載のサウナ装置。
【請求項３】
給水配管に流量検知手段を設けたこと特徴とする請求項１または２記載のサウナ装置。
【請求項４】
給水配管の周囲に温度検知手段を設けたことを特徴とする請求項１または２記載のサウナ装置。
【請求項５】
給水配管の周囲に湿度検知手段を設けたことを特徴とする請求項１または２記載のサウナ装置。
【請求項６】
給水配管において給水口からノズルまたは圧力損失機構までの間に水圧検知手段を備えたことを特徴とする請求項１、２、または３記載のサウナ装置。
【請求項７】
給水配管に備えた流量検知手段が羽根車式であることを特徴とする請求項１、２または３記載のサウナ装置。
【請求項８】
給水配管に備えた流量検知手段が、ある一定流量以上となると動作する流量検知手段であることを特徴とする請求項１、２、３または６記載のサウナ装置。
【請求項９】
給水配管内に片端を固定し、反対端は可動できるシャッター形状であり、一定流量の場合ある角度までが流速によって開く可動手段であって、一定流量を超えると可動手段が動くことにより流量が変化したことを検知する流量検知手段を設けたことを特徴とする請求項１、２、３、６または８記載のサウナ装置。
【請求項１０】
給水配管流路を塞ぐシャッター形状の流量検知手段の前記給水流路を塞ぐ面に、水または湯が流通する穴を設けたことを特徴とする請求項１、２、３、６、８または９記載のサウナ装置。
【請求項１１】
給水配管を二重管としその外部管内部の温度を検知する温度検知手段を備えたことを特徴とする請求項１、２または４記載のサウナ装置。
【請求項１２】
製品最下部に漏水検知手段を設けたことを特徴とする請求項１または２記載のサウナ装置。
【発明の詳細な説明】
【技術分野】
【０００１】
本発明は、浴室内を中温高湿雰囲気にし、サウナ浴をするために用いるサウナ装置に関する。
【背景技術】
【０００２】
従来、この種のサウナ装置の一例として浴室に設置し浴室をサウナ室とするミスト装置が知られている（例えば、特許文献１参照）。
【０００３】
入水管１０１と、該入水管１０１からの水を加熱する熱交換器１０２と、該熱交換器１０２で加熱された温水を出湯する出湯管１０３と、該出湯管１０３の途中に接続される混水管１０４と、該混水管１０４の接続地点よりも上流側の出湯管１０３から分岐されるミスト暖房用配管１０５と、該ミスト暖房用配管１０５の分岐地点と前記混水管１０４の接続地点との間の出湯管１０３に設けられる逆流防止弁１０６と、少なくともミスト暖房と給湯の同時運転中においては前記熱交換器１０２に一定の高温出湯を行わせると共に混水後の温度が給湯設定温度になるよう前記混水管１０４の流量調節弁１０７を調節する制御部１０８とを有する。
【特許文献１】特開平６−１３７６７６号公報（第５頁、第１図）
【発明の開示】
【発明が解決しようとする課題】
【０００４】
従来このようなサウナ装置では、入水間１０１と瞬間熱交換器１０２と出湯管１０３と、該出湯管１０３から分岐するミスト暖房用配管１０５と、前記入水管１０１から分岐して出湯管１０１に接続するバイパス管としての混合管１０４と、前記出湯管１０１の先端側に接続する一般給湯管１１０と風呂自動給湯１１１とが配管されている。前記ミスト暖房用配管１０５には電磁開閉弁１１２及び末端にミストノズル１０９が設けられ、前記混合管１０４には流量調整弁１０７が設けられている。前記入水管１０１の水は、前記熱交換器１０２によって８０℃の高温水に加熱されて出湯管１０３に出湯される。そして一部がミスト暖房用配管１０５に分岐流入してミストノズル１０９から高温ミストとして噴霧される。
【０００５】
以上のことから、このような従来のサウナ装置では、ノズル１０９より高温のお湯を噴霧するが、噴霧したお湯は微細でありかつ周囲空気より温度が高いため、噴射された高温の水滴は周囲に熱を奪われ、また微細なため表面積が大きいために蒸発しようとするため潜熱を奪われ水滴は低温化するが、例えば暖房用配管１０５が破損または、ノズル１０９が欠落すると高温のお湯がそのまま噴出すこととなる。ノズル１０９より噴射された温水は浴室または人を温める目的であるため、前記のように暖房用配管１０５が破損または、ノズル１０９が欠落すると、噴き出されたお湯は水滴ではないため重量に対しての表面積は小さいため周囲空気に温度を奪われることなく、また潜熱を奪われることなく高温のまま直接噴出するおそれがあるという課題があり、高温水が噴出するときに供給温水を停止する機能が要求されている。
【０００６】
また、暖房用配管１０５に亀裂等が入り、水または温水が流れ続けるという課題があり、水または温水漏れ等の異常時に供給水を停止することが要求されている。
【０００７】
本発明は、このような従来の課題を解決するものであり、供給配管に亀裂等の異常が生じた際に自動的に供給水を停止することができるサウナ装置を提供することを目的としている。
【課題を解決するための手段】
【０００８】
本発明のサウナ装置は上記目的を達成するために、空気を加熱加湿する加熱加湿手段とサウナ対象室内の空気を排出する換気手段と加熱加湿手段と換気手段を制御する制御手段を備え、加熱加湿手段はサウナ対象室の空気を循環する循環送風手段を介し空気を加熱する加熱手段を通過後、空気を加湿する加湿手段を経てサウナ対象室に吹きだす構成であって、加湿手段は給水口より給水配管を介し水または温水を噴射するノズルを有し、給水配管からの水または温水の漏水を検知する漏水検知手段を備えた構成としたものである。
【０００９】
この手段により、サウナ装置から水または温水がサウナ対象室に漏水したことを検知することができるサウナ装置が得られる。
【００１０】
また、他の手段は、給水口近傍に給水開閉弁を備え、漏水検知手段で検知する値が急激に変化した時に給水開閉弁を閉にする。
【００１１】
この手段により、サウナ装置から水または温水がサウナ対象室に漏水した時に漏水を停止することができるサウナ装置が得られる。
【００１２】
また、他の手段は、給水配管に流量検知手段を設けた構成としたものである。
【００１３】
この手段により、給水配管の流量の増加を検知し漏水を停止することができるサウナ装置が得られる。
【００１４】
また、他の手段は、給水配管の周囲に温度検知手段を備えたものである。
【００１５】
この手段により、給水配管より水または温水が漏水した場合、温度変化により異常を検知することができるサウナ装置が得られる。
【００１６】
また、他の手段は、給水配管の周囲に湿度検知手段を設けたものである。
【００１７】
この手段により、給水配管より水または温水が漏水した場合、湿度変化により異常を検知することができるサウナ装置が得られる。
【００１８】
また、他の手段は、給水配管に備えた流量検知手段が羽根車式で構成としたものである。
【００１９】
この手段により、安価な流量検知手段を備えたサウナ装置が得られる。
【００２０】
また、他の手段は、給水配管に備えた流量検知手段が、ある一定流量以上となると動作する流量検知手段である構成としたものである。
【００２１】
この手段により、流量が多い場合のみ反応する構成となり簡易な構成とすることができるサウナ装置が得られる。
【００２２】
また、他の手段は、給水配管内に片端を固定し、反対端は可動できるシャッター形状であり、一定流量の場合ある角度までが流速によって開く可動手段であって、一定流量を超えると可動手段が動くことにより流量が変化したことを検知する流量検知手段を設けた構成としたものである。
【００２３】
この手段により、流量検知手段がシャッター式のものとなり、単純な構成で流量を検知することができるサウナ装置が得られる。
【００２４】
また、他の手段は、給水配管流路を塞ぐシャッター形状の流量検知手段の前記給水流路を塞ぐ面に、水または湯が流通する穴を設けた構成としたものである。
【００２５】
この手段により、穴を通し供給水は流れ、一方末端側のノズルによる圧力損失のためシャッター形状の流量検知手段はシャッター形状の下流側から一定の圧力で押されることとなり、下流側が配管亀裂等により急激に圧力損失が低下することにより下流側からの圧力がなくなりシャッター形状の流量検知手段が動作するサウナ装置が得られる。
【００２６】
また、他の手段は、給水配管において給水口からノズルまたは圧力機構損失水までの間に水圧検知手段を設けた構成としたものである。
【００２７】
この手段により、配管内の圧力の変動を検知することができるサウナ装置が得られる。
【００２８】
また、他の手段は、給水配管を二重管としその外部管内部の温度を検知する温度検知手段を備えた構成としたものである。
【００２９】
この手段により、給水配管から水または温水が漏水した場合、二重管内側の温度変化が生じ、前記温度変化を検知することができるサウナ装置が得られる。
【００３０】
また、他の手段は、製品最下部に漏水検知手段を備えた構成としたものである。
【００３１】
この手段により、製品から水滴が滴下するような状況の場合漏水検知手段により検知することができるサウナ装置が得られる。
【発明の効果】
【００３２】
本発明によれば、給配管からの漏水が生じたときに水または熱水の滴下を停止することができ、長時間の漏水による拡大被害を抑制することができるサウナ装置を提供できる。
【００３３】
また、配管亀裂および配管接続手段の脱落等異常が生じたときに水または熱水の滴下を停止することができ、火傷・漏水等の拡大被害を抑制することができるサウナ装置が提供できる。
【００３４】
また、配管亀裂および配管接続手段の脱落等異常が生じたときに水または熱水の流量が変化することにより流量変化を検知することができ、滴下を停止することができ、火傷・漏水等の拡大被害を抑制することができるサウナ装置を提供できる。
【００３５】
また、配管亀裂および配管接続手段の脱落等異常が生じたときに水または熱水の流量が変化することにより流量変化を検知することができ、滴下を停止することができ、火傷・漏水等の拡大被害を抑制することができ、流量を検知することによりサウナ対象室の温度上昇・湿度上昇の制御をすることができ、効率的な性能を提供できるサウナ装置を提供できる。
【００３６】
また、配管亀裂および配管接続手段の脱落等異常が生じたときに水または熱水の流量が変化することにより流量変化を検知することができ、滴下を停止することができ、火傷・漏水等の拡大被害を抑制することができ、安価な流量制御手段を提供することができるサウナ装置が得られる。
【００３７】
また、配管亀裂および配管接続手段の脱落等異常が生じたときに給水配管内の圧力が変化することにより異常を検知することができ、滴下を停止することができ、火傷・漏水等の拡大被害を抑制することができ、ウォーターハンマーが来た時に圧力を逃がすことができサウナ装置を提供できる。
【００３８】
また、配管亀裂および配管接続手段の脱落等異常が生じたときに配管周囲の温度が変化することにより異常を検知することができ、滴下を停止することにより、火傷・漏水等の拡大被害を抑制することができ、製品内部の温度を検知することによりサウナ対象室の温度上昇・湿度上昇の制御をすることができ、効率的な性能を提供できるサウナ装置を提供できる。
【００３９】
また、配管亀裂および配管接続手段の脱落等異常以外でも製品からの水滴滴下を抑制することができるサウナ装置を提供することができる。
【発明を実施するための最良の形態】
【００４０】
本発明の請求項１記載のサウナ装置は、空気を加熱加湿する加熱加湿手段とサウナ対象室内の空気を排出する換気手段と前記加熱加湿手段と前記換気手段を制御する制御手段を備え、前記加熱加湿手段は前記サウナ対象室の空気を循環する循環送風手段を介し空気を加熱する加熱手段を通過後、空気を加湿する加湿手段を経てサウナ対象室に吹きだす構成であって、前記加湿手段は給水口より給水配管を介し水または温水を噴射するノズルを有し、前記給水配管からの水または温水の漏水を検知する漏水検知手段を備えた構成としたものであり、給水手段に漏水検知手段を設けることにより給水される水または温水が漏水した場合漏水を検知することができるという作用を有する。
【００４１】
また、給水口近傍に給水開閉弁を備え、漏水検知手段で検知する値が急激に変化した時に給水開閉弁を閉にするものであり、漏水検知手段で検知する値が急激に変化した時に給水開閉弁を閉にすることにより、配管亀裂および配管接続手段の脱落等異常が生じたときに給水を止めることができるという作用を有する。
【００４２】
また、給水配管に流量検知手段を設けた構成としたものであり、流量検知手段を給水配管中に設けることにより流量の変化を検知することにより、異常を検知することができるという作用を有する。
【００４３】
また、給水配管の周囲に温度検知手段を設けたものであり、温度検知手段により配管周囲温度の変化を検知することにより、異常を検知することができるという作用を有する。
【００４４】
また、給水配管の周囲に湿度検知手段を設けた構成であり、湿度検知手段により配管周囲温度の変化を検知することにより、異常を検知することができるという作用を有する。
【００４５】
また、給水配管に備えた流量検知手段が羽根車式である構成としたものであり、羽根車で検知することにより、随時流量変化を確認することができるという作用を有する。
【００４６】
また、給水配管に備えた流量検知手段が、ある一定流量以上となると動作する流量検知手段である構成であり、一定流量以上／以下の検知手段であるため、流量検知手段の構成が簡略化できるという作用を有する。
【００４７】
また、給水配管内に片端を固定し、反対端は可動できるシャッター形状であり、一定流量の場合ある角度までが流速によって開く可動手段であって、一定流量を超えると可動手段が動くことにより流量が変化したことを検知する流量検知手段を設けた構成であり、一定流量を超えると水または温水の流通側が開き、一方可動手段の流通側と反対側の面には磁気体を備えることにより、磁気が配管内側面に近接すると回路が開閉する一定流量検知制御手段により給水を停止することができるという作用を有する。
【００４８】
また、給水配管流路を塞ぐシャッター形状の流量検知手段の前記給水流路を塞ぐ面に、水または湯が流通する穴を設けたものであり、一定流量を超えると水または温水の流通側が開き、一方可動手段の流通側と反対側の面には磁気体を備えることにより、磁気が配管内側面に近接すると回路が開閉する一定流量検知制御手段により給水を停止することができるという作用を有する。
【００４９】
また、給水配管において給水口からノズルまたは圧力機構損失水までの間に水圧検知手段を備えたものであり、給水配管内部の圧力変動を検知する手段を設けることにより給水配管内の圧力変化を検知することができるという作用を有する。
【００５０】
また、給水配管を二重管としその外部管内部の温度を検知する温度検知手段を備えたものであり、給水配管を二重管としその外部管内部の温度を検知するため、温度変化精度が向上するとともに、給水配管が漏水した場合でも漏水量を抑制することができるという作用を有する。
【００５１】
また、製品最下部に漏水検知手段を設けたものであり、漏水検知手段を製品下部に設けることにより、異常時以外の結露水の滴下等も検知することができるという作用を有する。
【００５２】
以下、本発明の実施の形態について図面を参照しながら説明する。
【００５３】
（実施の形態１）
図１〜図４に示すように、浴室等よりなるサウナ対象室１の天井裏空間２にサウナ装置を形成する装置本体３を設け、装置本体３の下面に形成された開口部４は天井開口５を介してサウナ対象室１に連通している。また、装置本体３には水または温水を装置本体３に供給する給水管６および装置本体３から排出される水を排水する排水管７が接続され、サウナ対象室１または装置本体３内部を加熱、加湿する場合には、給水管６を介して水または温水が装置本体３に送水され、給水管６より供給された水または温水の一部は加湿として使用され、加湿に使用されなかった水または温水が排水管７より排水されるものである。
【００５４】
また、装置本体３は、一開口面を有した箱状で、内部に空気を加熱加湿する加熱加湿手段８と制御手段９が内蔵され、一方外部にはサウナ対象室１の空気を屋外に排出する換気手段１０と換気手段１０と装置本体３を連通および連通する開口形状を調節するダンパー１１を備え、加熱加湿手段８はサウナ対象室１の空気を循環送風する循環送風手段１２と、循環送風する空気を温める加熱手段１３と、循環送風する空気を加湿する第１の加湿手段１４とを有する。一方制御手段９は換気手段１０とダンパー１１と循環送風手段１２と加熱手段１３と第１の加湿手段１４と電気的に連結され各々の動作を調節するものである。
【００５５】
また水または温水を給水する給水管６は装置本体３と給水口１５を介して接続され、装置本体３内部に水または温水が送水される。給水口１５を通過した水または温水は給水開閉弁１６を通過後漏水検知手段１７を介し配管分岐部１８により３分岐される。分岐された第１の分岐配管１９は第１の開閉手段２０を通過し第１の噴射手段２１より第１の加湿手段１４内部で噴射される。一方、第２の分岐配管２２は第２の開閉手段２３を通過し第２の噴射手段２４より第２の加湿手段２５としてサウナ対象室１に直接噴射される。また第３の分岐配管２６は第３の開閉手段２７を通過し、第１の加湿手段１４内部に連通されている。
【００５６】
サウナ対象室１に面した位置にパネル２８が位置され、パネル２８は吸込口２９と吹出口３０を備えており、循環送風手段１２に備えた循環送風ファン３１が駆動することにより、サウナ対象室１の空気が吸込口２９を介して装置本体３に吸い込まれ循環送風手段１２を通じて加熱加湿手段８の加熱手段１３に送風される。
【００５７】
加熱手段１３は電気加熱ヒーター３２であり、循環送風手段１２により送気される空気は電気加熱ヒーター３２の内部を通過し、加熱されることとなる。電気加熱ヒーター３２は発熱素子（図示せず）と熱伝導フィン（図示せず）により構成されたもので、また熱伝導フィンは電気加熱ヒーター３２の熱を有効に空気流に伝えるため空気の流れ方向に対し一定の幅を有しているため、空気流が電気加熱ヒーター３２を通過するときに前記熱伝導フィンの幅により整流されることとなる。電気加熱ヒーター３２は加熱手段１３から第１の加湿手段１４を連結する略角筒形状の加湿部循環風路３３に備えられ、気流方向に対し上部が先頭になる角度で取り付けられている。電気加熱ヒーター３２で整流された空気流は第１の加湿手段１４の上部に備えられた第１の噴射手段２１の噴射水が衝突する噴射水衝突面３４に集中するような角度で取り付けられている。つまり循環送風手段１２により送気された空気流は電気加熱ヒーター３２を通過することにより下面に屈曲整流されることとなる。また電気加熱ヒーター３２により空気流は８０℃以上に加熱されるため噴射水衝突面３４には８０℃近くの空気が送られることとなる。
【００５８】
第１の加湿手段１４は水破砕手段３５としての第１の噴射手段２１と噴射水衝突面３４とを備え、一方空気流の下流側には気液分離手段３６と一時水を貯水する貯水部３７から構成されている。
【００５９】
第１の噴射手段２１は第１の分岐配管１９に接続され、第１の分岐配管１９は配管分岐部１８介し給水口１５において水または温水が供給されるため、分岐配管１９を通じて第１の開閉手段２０を介し第１の噴射手段２１より噴射されることとなる。第１の噴射手段２１は略円錐状の表面に水滴が集中して噴射するホロコーンタイプであり、第１の噴射手段２１内部で供給水が螺旋状に旋回して第１の噴射手段２１噴射口より噴射するものであり旋廻時に空気を巻き込むため、他のタイプのノズルと比較して同水圧に対しての噴射流量が少なくてすみ、さらにノズルのオリフィス径を大きく取れるためスケール等のつまりに対して効果的であり、一方噴射速度も速いため噴射粒径も細かいものとなる。第１の噴射手段２１から噴射された噴射水は下方にある噴射水衝突面３４に衝突しさらに微細化される。微細化された水滴は循環送風手段１２により電気加熱ヒーター３２を通じて８０℃以上に加熱された空気流と交わり加湿空気となる。このとき噴射衝突面３４に衝突した噴射水は微細な水滴を多く含んだものであるため、常温水で噴射しているものではあるが微細な水滴になることで表面積が増大し加熱空気流と接触する面積が増えるため一部は蒸発し、また一部は空気流に乗り下流側に設置されている気液分離手段３６に導かれる。このように水滴を微細化することにより水滴を蒸発しやすい状態にすることにより、常温水でも十分に加湿性能を上げることができることとなる。
【００６０】
なお、本実施の形態１では水噴霧の第１の噴射手段２１より噴射した噴射水を用いて水を微細化したが、気液混合で噴射する２流体ノズルを用いてもよく、その作用効果になんら違いはない。
【００６１】
加熱空気と交わった噴射水滴は一部の大粒水滴は加湿部循環風路３３の下面に落下し、一部は気液分離手段３６に侵入することとなる。気液分離手段３６は細い線形のステンレス線がランダムに絡まった形状のものであり、噴射水衝突面３４で衝突し加熱空気と交わり生成された加湿空気は気液分離手段３６のステンレス線の隙間を通過する際に、大粒水滴がステンレス線に衝突付着し、この付着を繰り返すことにより付着水が大きくなり自重で下部に設けられた貯水部３７に落下することとなる。一方微細な水滴は気液分離手段３６であるステンレス線の隙間を衝突することなく通過し吹出口３０よりサウナ対象室１空間に吹き出されることとなる。
【００６２】
気液分離手段３６の下部には一時水を貯水する貯水部３７が備えられ、気液分離手段３６で回収された大粒水滴を一時貯水することとなる。貯水部３７は電気加熱ヒーター３２から下り勾配を持って位置した噴射水衝突面３４に対し更に下り勾配を持って配置されており、貯水部３７の底面は一部下り勾配を持った底面を形成している。一方貯水部３７の底面は排水口３８に対して下り勾配を持って形成されており貯水部３７に蓄えられた水あるいは温水は排水口３８を通じて装置本体３外部に排出されることとなる。貯水部３７は一定の水を貯水しているため循環送風手段１２により送気され水破砕手段３５で微細化された水滴は一部が貯水面に接触して気液分離手段３６に導かれることとなる。貯水部３７の貯水表面に接触した空気は、乾燥空気の場合は湿度成分を授与し加湿空気として気液分離手段３６に送られ、また大粒水滴を含んだ加湿空気の場合は大粒水滴が水面と接触することにより貯水部３７に吸収されるため、気液分離手段３６に侵入する加湿空気流は大粒水滴がある程度除去された加湿空気として送り込まれることとなる。
【００６３】
気液分離手段３６を通過した加湿空気は微細水滴のみを含んだ加湿空気となり、吹出口３０よりサウナ対象室１に送気されるが、送風空気自体が電気加熱ヒーター３２で高温となっているため吹出口３０からの微細な水滴は結露を抑制した状態でサウナ対象室１内に拡散されることとなり、微細な状態なままサウナ対象室１である浴室内部に広がるため使用者に水滴によるわずらわしさを与えることのない空間となるサウナ対象室１を提供できるので、サウナ対象室１内での読書が可能となり、サウナ対象室１の利用範囲を広げることができ、また水破砕手段３５による水の衝突で水を微細化することにより、レナード効果により負イオンを多く含んだ空気をサウナ対象室１内に送風することができる。
【００６４】
一方、配管分岐部１９から分岐された第２の分岐配管２２は第２の開閉手段２３の開閉により第２の噴射手段２４へ温水または水を供給することなる。第２の噴射手段２４は略円錐状の表面に水滴が集中して噴射するホロコーンタイプであり、第２の噴射手段２４内部で供給水が螺旋状に旋回して第２の噴射手段２４噴射口より噴射するものであり旋廻時に空気を巻き込むため、他のタイプのノズルと比較して同水圧に対しての噴射流量が少なくてすみ、噴射速度も速いため噴射粒径も細かいものとなる。第２の噴射手段２４は第２の加湿手段２５の一部であり、パネル２８の表面に形成される吹出口３０とともに第２の加湿手段を形成している。吹出口３０は循環送風手段１２が駆動することにより吸込口２９よりサウナ対象室１の空気を吸込み下流側に設置された加熱手段１３を通過することにより空気流は８０℃以上に加熱され、第１の加湿手段１４を通過し送気された温風が送られることとなる。第２の噴射手段２４に温水または水が送水されているとき、すなわち第二の開閉手段２３が開の状態のときは第１の開閉手段２０は閉とし、第１の噴射手段２１からは水または温水を噴射しないものとする。このため加熱手段１３を通過した温風は第１の加湿手段１４内部で第１の噴射手段２１から噴射した水または温水で冷やされることなく吹出口３０へ導かれることとなる。吹出口３０で高温の温風と第２の噴射手段２４から噴射された水または温水とが交錯し、噴射された水または温水が加熱または蒸発し、サウナ対象室１を加湿することとなる。
【００６５】
また配管分岐部１９から分岐された第３の分岐配管２６は第３の開閉手段２７を介して第１の加湿手段１４に導かれている。第１の加湿手段１４は排水口３８が備えられ、排水口３８は排水管７に接続されている。ミスト運転起動時や第２の噴射手段２４に温水を流通させる場合に配管分岐部１８に設けた起動配管温度検査手段（図示せず）によりある一定温度以上にならない場合、あるいは起動してから一定時間経過するまでは第３の開閉手段２７を開とし、配管内部の残水を排水口２７を通じて排水管７より通水させたものである。
【００６６】
給水口１５から供給された水または温水は給水口１５の近傍または給水口１５に装備された給水開閉弁１６を通じて下流側に送水されることとなるが、下流側には給水開閉弁１６の近傍または給水開閉弁１６に装備された漏水検知手段１７を備え、一方下流側には第１の開閉手段２０、第２の開閉手段２３、第３の開閉手段２７とあり、前記全ての弁が閉止されているときは下流側へ水の流通はない。また第１の開閉手段２０が開となっても、下流側にある第１の噴射手段２１は内部が細い溝と小さい噴射口より形成されているため圧力損失が大きく流量を制限する作用がある。また第２の開閉手段２３が開となっても、下流側にある第２の噴射手段２４は内部が細い溝と小さい噴射口より形成されているため圧力損失が大きく流量を制限する作用がある。このため漏水検知手段１７から第１の噴射手段２１までの第１の分岐配管１９または漏水検知手段１７から第２の噴射手段２４までの第２の分岐配管２２で亀裂または第１の噴射手段２１や第２の噴射手段２４の欠落等による外れ生じた場合、各々の噴射手段による下流側の圧力損失がなくなるため流量が大幅に増加または圧力が大幅に低下する。漏水検知手段１７は配管内部に備えられた複数の羽根を有する羽根車３９であり、羽根車３９の羽根と平行となる方向に光が進むように設置された光源４０より構成される流量検知手段４１である。流量検知手段４１は電気的に制御手段９と接続されており、一方給水開閉弁１６も電気的に制御手段９と接続されている。給水開閉弁１６が開となると給水口１５より水または温水が給水開閉弁１６を通過し下流側へ送水される。第１の分岐配管１９、第２の分岐配管２２または第３の分岐配管２６に流通があると羽根車３９は回転し、各々の羽根が光源４０より発する光をさえぎる間隔により流速を検知することができる。検知された流量は電気的接続により制御手段９に伝えられる。第１の開閉手段２０、第２の開閉手段２３および第３の開閉手段２７が閉のときに流通を検知したとき、すなわち羽根車３９が回転し流量検知手段４１が流量を検知した場合、流量検知手段４１の下流である第１の分岐配管１９、第２の分岐配管２２あるいは第３の分岐配管２６のいずれか、または複数の配管より漏水していることが検知できることとなる。また第１の開閉手段２０が開の時は第１の噴射手段２１へ流水があるがこのときの流量範囲をあらかじめ制御手段９が記憶していれば、前記流量範囲以上の場合は第１の分岐配管１９より漏水していることを検出することができる。一方第２の開閉手段２３が開の時は第２の噴射手段２４へ流水があるがこのときの流量範囲をあらかじめ制御手段９が記憶していれば、第２の分岐配管２２の漏水を検出することができる。制御手段９が漏水を検出した場合、電気的に接続された制御手段９に信号を送り、制御手段９より電気的に接続された給水開閉弁１６に信号を送り、給水開閉弁１６を閉にすることにより漏水を止めることができる。
【００６７】
（実施の形態２）
次に、実施の形態２について説明する。なお、実施の形態１と重複する個所は同一記号とし説明は省略する。
【００６８】
図５に示すように、給水開閉弁１６の近傍または給水開閉弁１６に装備された漏水検知手段１７は、給水されていないときには分岐前給水配管４８の給水塞ぐ蓋のような形状をしたシャッター４２と、シャッター４２は片端が分岐前給水配管４８内部に固定された支持部４３と回転可能に連結されている。シャッター４２の支持部４３と連結されている端と相反する位置にある端は固定されておらず、シャッター４２は支持部４３の位置で分岐前給水配管４８の流れ方向に対して垂直の角度から下流に向かって９０°支持部４３を中心に可動とされている。シャッター４２は分岐前給水配管４８を塞ぐ面４４に反対面に貫通した穴４５を有しており、一方支持部４３と連結されている端と相反する位置にある端には磁性体４６が備えられている。支持部４３を中心に下流側に９０°シャッター４２が傾いた位置において磁性体４６と分岐前給水配管４８の壁面を挟んだ位置の外側に磁性体が近づくと接点が閉じる電気的接点４７が設けられている。給水開閉弁１６が開となり第１の開閉手段２０が開くと温水または水は第１の噴射手段２１に向かうが第１の噴射手段２１は内部圧損が大きいノズルである。給水開閉弁１６を通過した水または温水は漏水検知手段１７としてのシャッター４２に突入し、シャッター４２の塞ぐ面４４に設けられた穴４５を通り下流側の第１の噴射手段２１に向かうが、第１の噴射手段２１は圧力損失が大きいため、一部は第１の噴射手段２１より第１の加湿手段１４に噴射されるが、その他は逆圧となりシャッター４２の塞ぐ面４４と反対側の面を押すこととなる。このためシャッター４２は支持部４３を中心に回転はするが分岐前給水配管４８の内面までつまり９０°は傾かない位置で平衡を保つこととなる。
【００６９】
一方、漏水検知手段１７から第１の噴射手段２１までの第１の分岐配管１９または漏水検知手段１７から第２の噴射手段２４までの第２の分岐配管２２で亀裂または第１の噴射手段２１や第２の噴射手段２４の欠落等による外れ生じた場合、各々の噴射手段による下流側の圧力損失がなくなるためシャッター４２の下流側の圧力が大幅に低下する。下流側の圧力が大幅に低下すると分岐前給水配管４８内部でシャッター４２の下流側に生じていた逆圧がなくなるため、シャッター４２は支持部４３を中心に最大角度すなわち９０°まで回転することとなる。シャッター４２が９０°回転するとシャッター４２の端面に備わった磁性体４６が分岐前給水配管４８を挟んで電気的接点４７の位置まで移動することとなり、電気的接点４７は磁性を帯びることにより接点を閉じ、電気的に接続された制御手段９に信号を送信することとなる。信号が受信されると制御手段９は電気的に連結された給水開閉弁１６を閉とする動作を行い、漏水を停止することとなる。また第３の分岐配管２６は吐出口に圧力損失がないため流水するときはシャッター４２は９０°開くこととなるが、第３の開閉手段２７を開にしたときに制御手段９で検知しないように認識しておけばよく、逆に第３の開閉手段２７が閉の時にシャッター４２が９０°開くようであれば、第１の分岐配管１９、第２の分岐配管２２または第３の分岐配管２６のいずれかまたは複数で漏水が生じていることであるため、給水開閉弁１６を閉じる制御としている。
【００７０】
（実施の形態３）
次に、実施の形態３について説明する。なお、実施の形態１、２と重複する個所は同一記号とし説明は省略する。
【００７１】
図６に示すように、給水開閉弁１６の下流側に配管分岐部１８を介して第１の開閉手段
２０、第２の開閉手段２３、第３の開閉手段２７と配置されている第１の分岐配管１９、第２の分岐配管２２、第３の分岐配管２６の周囲を囲う形状で二重管４９が設置されている。二重管４９の片端は給水開閉弁１６であり各々第１の開閉手段２０、第２の開閉手段２３、第３の開閉手段２７までを延長され、各々第１の開閉手段２０、第２の開閉手段２３、第３の開閉手段２７で閉じた配管となっている。一方給水開閉弁１６から配管分岐部１８までの間の位置に二重管４９内部の温度を検知する温度検知部５０が設けられている。温度検知部５０は二重管４９において最下部に位置する。温度検知部は５０は下部に窪み部５１を有しており、温度検知部５０は二重管４９内部の温度を検知する温度検知手段５２は窪み部５１に配置されている。一方温度検知手段５２は電気的に制御手段９と接続されており、温度検知部５０での温度は制御手段９に送信されることとなる。温度検知部５０は片端が排水口３８を有する第１の加湿手段１４に導かれており排水口３８に導入する配管は温度検知部５０の窪み部５１より高い位置より導かれたものとなっている。給水開閉弁１６から配管分岐部１８までと第１の分岐配管１９、第２の分岐配管２２および第３の分岐配管２６のいずれかまたは複数個の配管より水または温水が漏水した場合、二重管４９の内部を通り最下部に位置する温度検知部５０に導かれる。また導かれた水または温水は温度検知部５０の最下部にあたる窪み部５１に溜まることとなり、窪み部５１に貯水される温水または水は除々に水かさを増すこととなる。このため窪み部５１に配置された温度検知手段５２が貯水に浸かると検知温度は急激に変化することとなる。この急激に変化した検知温度を認識し、温度検知手段５２から電気的に接続した制御手段９に信号を送り、制御手段９から電気的に接続された給水開閉弁１６に閉の信号を送ることにより給水開閉弁は閉となり、漏水を止めることができる。
【００７２】
（実施の形態４）
次に、実施の形態４について説明する。なお、実施の形態１、２、３と重複する個所は同一記号とし説明は省略する。
【００７３】
図７に示すように、給水開閉弁１６の下流側に配管分岐部１８を介して第１の開閉手段
２０、第２の開閉手段２３、第３の開閉手段２７と配置されている第１の分岐配管１９、第２の分岐配管２２、第３の分岐配管２６の周囲を囲う形状で二重管４９が設置されている。二重管４９の片端は給水開閉弁１６であり各々第１の開閉手段２０、第２の開閉手段２３、第３の開閉手段２７までを延長され、各々第１の開閉手段２０、第２の開閉手段２３、第３の開閉手段２７で閉じた配管となっている。一方給水開閉弁１６の近傍に空気を導入する空気取入口５３が配置されている。また給水開閉弁１６から配管分岐部１８までの間の位置に二重管４９内部の湿度を検知する湿度検知部５４が設けられている。湿度検知部５４は二重管４９において最下部に位置する。湿度検知部５４内部に湿度を検知する湿度検知手段５５が装備されている。湿度検知手段５５は湿度検知部５４内部の空気湿度を検知する位置つまり湿度検知部５４内部に突出した位置に取り付けられている。一方湿度検知手段５５は電気的に制御手段９と接続されており、湿度検知部５４での湿度は制御手段９に送信されることとなる。湿度検知部５４は片端が排水口３８を有する第１の加湿手段１４に導かれている。通常の運転時には空気取入口５３より外気を取り入れ二重管４９内部は乾燥された状態を保つが、給水開閉弁１６から配管分岐部１８までと第１の分岐配管１９、第２の分岐配管２２および第３の分岐配管２６のいずれかまたは複数個の配管より水または温水が漏水した場合、二重管４９の内部を通り最下部に位置する湿度検知部５４に導かれる。導かれた水または温水は湿度検知部５４の湿度を高め、湿度変化を検知した湿度検知手段５５は、湿度検知手段５５から電気的に接続した制御手段９に信号を送り、制御手段９から電気的に接続された給水開閉弁１６に閉の信号を送ることにより給水開閉弁は閉となり、漏水を止めることができる。
【産業上の利用可能性】
【００７４】
本発明にかかるサウナ装置は、水または温水の漏水を検知する手段を用いるものであり、水または温水を使用する全ての水回路機器に適用できる。
【図面の簡単な説明】
【００７５】
【図１】本発明の実施の形態１のサウナ装置を設置した状態を示す斜視図
【図２】同サウナ装置の構成を示す側面構成図
【図３】同サウナ装置の内部構成を示した内部システム図
【図４】同サウナ装置の漏水検知手段の構成を抜粋した構成図
【図５】本発明の実施の形態２のサウナ装置の漏水検知手段の構成を抜粋した構成図
【図６】本発明の実施の形態３のサウナ装置の水配管構成を抜粋したシステム構成図
【図７】本発明の実施の形態４のサウナ装置の水配管構成を抜粋したシステム構成図
【図８】従来のサウナ装置を示すシステム構成図
【符号の説明】
【００７６】
１    サウナ対象室
８    加熱加湿手段
９    制御手段
１０  換気手段
１２  循環送風手段
１３  加熱手段
１４  第１の加湿手段
１５  給水口
１６  給水開閉弁
１７  漏水検知手段
２１  第１の噴射手段
２４  第２の噴射手段
２５  第２の加湿手段
３９  羽根車
４１  流量検知手段
４２  シャッター
４４  塞ぐ面
４５  穴
４９  二重管
５２  温度検知手段
５５  湿度検知手段
【図１】
2010051512.tif 000003
【図２】
2010051512.tif 000004
【図３】
2010051512.tif 000005
【図４】
2010051512.tif 000006
【図５】
2010051512.tif 000007
【図６】
2010051512.tif 000008
【図７】
2010051512.tif 000009
【図８】
2010051512.tif 000010